(57)【要約】【課題】表示画面が静止画面からスクロール画面へ切り替わる際の不連続な画面変化を回避しつつ、スクロール画面における前記表示項目の視認性を高めること。【解決手段】第１制御部４ｂは、複数の表示項目ｇ２が予め定められた標準レイアウトで並ぶ静止画面ｇ１を表示装置１に表示させる。第２制御部４ｃは、前記静止画面ｇ１が前記表示装置１に表示されているときにスクロール操作が検出された場合に、前記静止画面ｇ１と比較して同数の前記複数の表示項目ｇ２がスクロール方向へ移動するとともに、前記複数の表示項目ｇ２のうち特定位置Ｐ０に存在する特定項目ｇ２１が、前記静止画面ｇ１における前記特定項目ｇ２１よりも拡大されるスクロール画面ｇ１０を、前記表示装置１に表示させる。【選択図】図３
2019053196.tif 000002
【特許請求の範囲】
【請求項１】
画像を表示する表示装置と、
ユーザーの操作を検出する操作検出装置と、
前記表示装置を制御する制御装置と、を備え、
前記制御装置は、
複数の表示項目が予め定められた標準レイアウトで並ぶ静止画面を前記表示装置に表示させる第１制御部と、
前記静止画面が前記表示装置に表示されているときに前記操作検出装置によって予め定められたスクロール操作が検出された場合に、前記静止画面と比較して同数の前記複数の表示項目が、前記複数の表示項目の一部が順次入れ替わりつつ前記スクロール操作に対応するスクロール方向へ移動するとともに、前記複数の表示項目のうち特定位置に存在する特定項目が、前記静止画面における前記特定項目よりも拡大されるスクロール画面を前記表示装置に表示させる第２制御部と、を含む、情報処理装置。
【請求項２】
前記第２制御部は、拡大される前記特定項目をその一部を省略して前記表示装置に表示させることが可能である、請求項１に記載の情報処理装置。
【請求項３】
前記第２制御部は、前記特定項目の拡大によって前記特定項目の一部が前記表示装置の表示エリアからはみ出る場合に、拡大される前記特定項目のうち前記表示エリア内に収まる他の一部のみを前記表示装置に表示させる、請求項２に記載の情報処理装置。
【請求項４】
前記第２制御部は、前記複数の表示項目のうち前記特定項目以外の非特定項目が前記静止画面の前記非特定項目と比較して縮小される前記スクロール画面を前記表示装置に表示させる、請求項１から請求項３のいずれか１項に記載の情報処理装置。
【請求項５】
前記第２制御部は、前記特定項目を前記複数の表示項目のうち前記特定項目の隣に並ぶ項目の上に重畳する前記スクロール画面を前記表示装置に表示させる、請求項１から請求項４のいずれか１項に記載の情報処理装置。
【請求項６】
前記第２制御部は、前記複数の表示項目が前記スクロール操作に対応するスクロール速度で前記スクロール方向へ移動するとともに、前記スクロール速度に応じて前記特定項目の大きさが変化する前記スクロール画面を前記表示装置に表示させる、請求項１から請求項５のいずれか１項に記載の情報処理装置。
【請求項７】
複数の表示項目が予め定められた標準レイアウトで並ぶ静止画面を表示装置に表示させる工程と、
前記静止画面が前記表示装置に表示されているときにユーザーの操作を検出する操作検出装置によって予め定められたスクロール操作が検出された場合に、前記静止画面と比較して同数の前記複数の表示項目が、前記複数の表示項目の一部が順次入れ替わりつつ前記スクロール操作に対応するスクロール方向へ移動するとともに、前記複数の表示項目のうち特定位置に存在する特定項目が、前記静止画面における前記特定項目よりも拡大されるスクロール画面を前記表示装置に表示させる工程と、を含む、画面制御方法。
【発明の詳細な説明】
【技術分野】
【０００１】
本発明は、スクロール画面を表示装置に表示させる情報処理装置および画面制御方法に関する。
【背景技術】
【０００２】
一般に、情報処理装置は、スクロール操作が検出された場合に表示装置にスクロール画面を表示させる機能を備える。前記スクロール操作は、例えばタッチパネルに対するスワイプ操作などである。
【０００３】
また、前記スクロール画面のスクロール速度が低速から高速へ変化した場合に、前記表示装置の制御部が、表示部に一覧表示される画像のサイズを拡大し、１画面に表示する画像の数を削減することが知られている（例えば、特許文献１参照）。
【先行技術文献】
【特許文献】
【０００４】
【特許文献１】特開２０１２−３７９７４号公報
【発明の概要】
【発明が解決しようとする課題】
【０００５】
ところで、表示画面が前記静止画面から前記スクロール画面へ切り替わる際に、前記表示画面における表示項目の数が変化すると、前記表示画面の不連続な切り替わりが、ユーザーに違和感を生じさせる。さらに、１画面当たりの前記表示項目の数が少ない場合、前記ユーザーが、目的の項目を前記表示画面に表示させるために、より多くの前記スクロール操作を行わなければいけない事態も生じ得る。
【０００６】
一方、前記スクロール画面における前記表示項目の視認性を高めることも求められている。前記スクロール画面における前記表示項目を拡大することは、前記表示項目の視認性を高めることに寄与する。
【０００７】
本発明の目的は、表示画面が静止画面からスクロール画面へ切り替わる際の不連続な画面変化を回避しつつ、スクロール画面における前記表示項目の視認性を高めることができる情報処理装置および画面制御方法を提供することにある。
【課題を解決するための手段】
【０００８】
本発明の一の局面に係る情報処理装置は、表示装置と、操作検出装置と、制御装置と、を備える。前記表示装置は、画像を表示する。前記操作検出装置は、ユーザーの操作を検出する。前記制御装置は、前記表示装置を制御する。前記制御装置は、第１制御部および第２制御部を含む。前記第１制御部は、複数の表示項目が予め定められた標準レイアウトで並ぶ静止画面を前記表示装置に表示させる。前記第２制御部は、前記静止画面が前記表示装置に表示されているときに前記操作検出装置によって予め定められたスクロール操作が検出された場合に、前記静止画面と比較して同数の前記複数の表示項目が、前記複数の表示項目の一部が順次入れ替わりつつ前記スクロール操作に対応するスクロール方向へ移動するとともに、前記複数の表示項目のうち特定位置に存在する特定項目が、前記静止画面における前記特定項目よりも拡大されるスクロール画面を、前記表示装置に表示させる。
【０００９】
本発明の他の局面に係る画面制御方法は、複数の表示項目が予め定められた標準レイアウトで並ぶ静止画面を表示装置に表示させる工程を含む。さらに、本方法は、前記静止画面が前記表示装置に表示されているときにユーザーの操作を検出する操作検出装置によって予め定められたスクロール操作が検出された場合に、前記静止画面と比較して同数の前記複数の表示項目が、前記複数の表示項目の一部が順次入れ替わりつつ前記スクロール操作に対応するスクロール方向へ移動するとともに、前記複数の表示項目のうち特定位置に存在する特定項目が、前記静止画面における前記特定項目よりも拡大されるスクロール画面を前記表示装置に表示させる工程を含む。
【発明の効果】
【００１０】
本発明によれば、表示画面が静止画面からスクロール画面へ切り替わる際の不連続な画面変化を回避しつつ、スクロール画面における前記表示項目の視認性を高めることができる情報処理装置および画面制御方法を提供することが可能になる。
【図面の簡単な説明】
【００１１】
【図１】図１は、実施形態に係る情報処理装置のブロック図である。
【図２】図２は、実施形態に係る情報処理装置における静止画面を表示中の表示パネルの一例を示す図である。
【図３】図３は、実施形態に係る情報処理装置におけるスクロール画面を表示中の表示パネルの第１例を示す図である。
【図４】図４は、実施形態に係る情報処理装置におけるスクロール画面を表示中の表示パネルの第２例を示す図である。
【図５】図５は、実施形態に係る情報処理装置におけるスクロール画面を表示中の表示パネルの第３例を示す図である。
【図６】図６は、実施形態に係る情報処理装置によるリスト画像表示処理の手順の一例を示すフローチャートである。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［情報処理装置１０の構成］
実施形態に係る情報処理装置１０は、スマートフォン、タブレットＰＣ（Personal Computer）または画像形成装置などの電子機器である。
【００１４】
図１に示されるように情報処理装置１０は、タッチパネル装置１００、制御装置４、二次記憶装置５および通信装置６などを備える。
【００１５】
タッチパネル装置１００は、表示パネル１、操作検出装置２およびパネル駆動回路３を含む。また、制御装置４は、ＣＰＵ（Central Processing Unit）４１およびＲＡＭ（Random Access Memory）などの主記憶装置４２を含む。
【００１６】
表示パネル１は、液晶パネルなどのパネル状の表示装置である。表示パネル１は、ＣＰＵ４１による制御に従って、各種の情報を含む画像を表示する。表示パネル１は、表示装置の一例である。
【００１７】
以下の説明において、表示パネル１の縦方向および幅方向の一方を主方向Ｄ１、他方を副方向Ｄ２と称する。図２に示される例では、前記縦方向が主方向Ｄ１であり、前記幅方向が副方向Ｄ２である。
【００１８】
操作検出装置２は、表示パネル１に対するユーザーの操作を検出する。本実施形態において、操作検出装置２の検出結果は、表示パネル１における、ユーザーの指またはスタイラスペンなどの操作部材が接触した位置を表すタッチ位置および前記タッチ位置の変化である。
【００１９】
例えば、操作検出装置２が、静電容量式、抵抗式または光学式のタッチパネルであることが考えられる。パネル駆動回路３は、ＣＰＵ４１からの制御信号に従って、表示パネル１の表示状態を制御する回路である。
【００２０】
通信装置６は、他装置との間で通信を行う通信インターフェイスデバイスである。例えば、通信装置６は、他装置から受信したデータをＣＰＵ４１に転送する。また、通信装置６は、ＣＰＵ４１からの送信指令に従って、ＣＰＵ４１から転送されて来たデータを前記他装置へ送信する。
【００２１】
ＣＰＵ４１は、各種の演算、データ処理およびタッチパネル装置１００の制御などを実行する。例えば、ＣＰＵ４１は、パネル駆動回路３を通じて表示パネル１を制御する。
【００２２】
主記憶装置４２は、ＣＰＵ４１によって実行される各種のプログラムおよび演算に用いられるデータを一時記憶するＲＡＭ（Random Access Memory）などのコンピューター読み取り可能な揮発性の記憶装置である。
【００２３】
二次記憶装置５は、コンピューター読み取り可能な不揮発性の記憶装置である。例えば、フラッシュメモリーまたはハードディスクドライブなどが二次記憶装置５として採用される。二次記憶装置５は、ＣＰＵ４１が実行するプログラムまたはＣＰＵ４１が参照するデータなどを記憶する。
【００２４】
例えば、ＣＰＵ４１は、二次記憶装置５に予め記憶された操作判定プログラム５ａを実行することにより、操作判定装置４ａとして機能する。
【００２５】
操作判定装置４ａは、操作検出装置２による前記タッチ位置の検出結果に応じてパネル操作の種類を判定する。例えば、操作判定装置４ａは、表示パネル１に対するスクロール操作、アイコン指定操作およびその他の操作を区別して判定する。前記スクロール操作および前記アイコン指定操作などは、予め定められた操作の一例である。
【００２６】
図３〜図５に示されるように、前記スクロール操作が、主方向Ｄ１に沿うスワイプ操作であることが考えられる。図３〜図５に示される例において、表示パネル１は、ユーザーの指Ｆ０によって操作される。また、主方向Ｄ１に沿う２方向のうち、前記スワイプ操作における前記タッチ位置の変化方向に対応する方向が、前記スクロール操作に対応するスクロール方向Ｄ０である。
【００２７】
なお、操作判定装置４ａが、ＤＳＰ（Digital Signal Processor）またはＭＰＵ（Micro Processing Unit）などのプロセッサーまたはＡＳＩＣ（Application Specific Integrated Circuit）などの回路によって実現されることも考えられる。
【００２８】
さらに、ＣＰＵ４１は、二次記憶装置５に予め記憶された第１表示制御プログラム５ｂを実行することにより、第１表示制御装置４ｂとして機能する。さらに、ＣＰＵ４１は、二次記憶装置５に予め記憶された第２表示制御プログラム５ｃを実行することにより、第２表示制御装置４ｃとして機能する。
【００２９】
第１表示制御装置４ｂおよび第２表示制御装置４ｃは、操作判定装置４ａによる前記パネル操作の判定結果に応じて、表示パネル１への画像の表示形態を変更する。その際、第１表示制御装置４ｂおよび第２表示制御装置４ｃは、パネル駆動回路３を通じて表示パネル１を制御する。
【００３０】
本実施形態において、第１表示制御装置４ｂおよび第２表示制御装置４ｃは、リスト画像ｇ０を表示パネル１に表示させるリスト画像表示処理を実行可能である。
【００３１】
図２に示されるように、リスト画像ｇ０は、主方向Ｄ１の長さが表示パネル１の主方向Ｄ１の長さよりも長い画像である。一方、リスト画像ｇ０の副方向Ｄ２の長さは、表示パネル１の副方向Ｄ２の長さ以下である。
【００３２】
リスト画像ｇ０は、複数の表示項目ｇ２を含む画像である。例えば、リスト画像ｇ０における複数の表示項目ｇ２が、二次記憶装置５に記憶されている連絡先リストのデータに含まれる複数の連絡先名、複数の住所、または複数のアドレスなどであることが考えられる。
【００３３】
［リスト画像表示処理］
以下、図６に示されるフローチャートを参照しつつ、前記リスト画像表示処理の手順の一例について説明する。
【００３４】
操作判定装置４ａが、予め定められたリスト表示開始操作が操作検出装置２によって検出されたと判定したときに、第１表示制御装置４ｂが、前記リスト画像表示処理を開始しる。以下の説明において、Ｓ１，Ｓ２，…は、前記リスト画像表示処理における複数の工程の識別符号を表す。
【００３５】
＜工程Ｓ１＞
まず、第１表示制御装置４ｂは、主方向Ｄ１において表示パネル１に収まらない大きさのリスト画像ｇ０の一部を静止画面ｇ１として表示パネル１に表示させる（図２参照）。
【００３６】
第１表示制御装置４ｂは、複数の表示項目ｇ２が予め定められた標準レイアウトで並ぶ静止画面ｇ１を表示パネル１に表示させる（Ｓ１）。例えば、図２に示されるように、前記標準レイアウトが、複数の表示項目ｇ２が主方向Ｄ１において重ならずに均等に並ぶレイアウトであることが考えられる。
【００３７】
なお、本実施形態において、第１表示制御装置４ｂとして機能するＣＰＵ４１が、静止画面ｇ１を表示パネル１に表示させる第１制御部の一例である。
【００３８】
＜工程Ｓ２，Ｓ３＞
静止画面ｇ１が表示パネル１に表示されているときに、操作判定装置４ａは、操作検出装置２によって前記スクロール操作が検出されるか否かを判定する（Ｓ２）。さらに操作判定装置４ａは、予め定められたその他の操作が検出されるか否かも判定する（Ｓ３）。
【００３９】
前記その他の操作は、例えば、静止画面ｇ１に含まれるアイコンをタッチする操作などである。前記アイコンをタッチする操作は、前記アイコンに対応付けられた処理の実行を要求する操作である。
【００４０】
なお、図６に示されていないが、工程Ｓ３において、操作判定装置４ａが、操作検出装置２によって前記リスト画像表示処理の終了を要求する操作が検出されたと判定した場合、第１表示制御装置４ｂは、前記リスト画像表示処理を終了させる。
【００４１】
＜工程Ｓ４＞
第２表示制御装置４ｃは、静止画面ｇ１が表示パネル１に表示されているときに操作検出装置２によって前記スクロール操作が検出された場合に、スクロール画面ｇ１０を表示パネル１に表示させる（図３〜図５参照）。
【００４２】
スクロール画面ｇ１０は、複数の表示項目ｇ２を含み、複数の表示項目ｇ２の一部が順次入れ替わりつつ前記スクロール操作に対応するスクロール方向Ｄ０へ移動する画面である（図３〜図５参照）。
【００４３】
なお、本実施形態において、第２表示制御装置４ｃとして機能するＣＰＵ４１が、スクロール画面ｇ１０を表示パネル１に表示させる第２制御部の一例である。
【００４４】
第２表示制御装置４ｃは、複数の表示項目ｇ２が工程Ｓ２で検出された前記スクロール操作に対応するスクロール速度で移動するスクロール画面ｇ１０を表示パネル１に表示させた後、複数の表示項目ｇ２の移動速度を予め定められた減速率で減速させる。
【００４５】
＜工程Ｓ５，Ｓ６，Ｓ７＞
スクロール画面ｇ１０が表示パネル１に表示されているときに、操作判定装置４ａは、操作検出装置２によってさらに前記スクロール操作が検出されるか否かを判定する（Ｓ５）。
【００４６】
操作判定装置４ａは、前記スクロール操作が検出されたと判定すると、処理を工程Ｓ４へ移行させる。これにより、第２表示制御装置４ｃは、工程Ｓ５で検出される前記スクロール操作に応じたスクロール画面ｇ１０の表示処理を実行する。
【００４７】
さらに、スクロール画面ｇ１０が表示パネル１に表示されているときに、操作判定装置４ａは、操作検出装置２によって予め定められた停止操作が検出されるか否かを判定する（Ｓ６）。前記停止操作は、画面のスクロールの停止を要求する操作である。
【００４８】
例えば、前記停止操作が、表示パネル１に対するワンタッチ操作であることが考えられる。操作判定装置４ａは、前記停止操作が検出されたと判定すると、処理を工程Ｓ１へ移行させる。これにより、第１表示制御装置４ｂが、前記停止操作が検出された時点で表示パネル１に表示されているスクロール画面ｇ１０に対応する静止画面ｇ１を表示パネル１に表示させる。
【００４９】
また、スクロール画面ｇ１０が表示パネル１に表示されているときに、第２表示制御装置４ｃは、前記減速率に基づくスクロール速度の減速処理により、スクロール画面ｇ１０のスクロールが停止したか否かを判定する。
【００５０】
第２表示制御装置４ｃは、スクロール画面ｇ１０のスクロールが停止したと判定すると、処理を工程Ｓ１へ移行させる。これにより、第１表示制御装置４ｂが、スクロールの停止が検出された時点で表示パネル１に表示されているスクロール画面ｇ１０に対応する静止画面ｇ１を表示パネル１に表示させる。
【００５１】
第２表示制御装置４ｃは、前記スクロール操作または前記停止操作が検出されず、かつ、スクロール画面ｇ１０のスクロールが停止していない場合、スクロール画面ｇ１０を表示パネル１に表示させる処理を継続する。
【００５２】
＜工程Ｓ８＞
工程Ｓ３において前記その他の操作が検出された場合、第１表示制御装置４ｂは、検出された操作に対応する処理を実行する（Ｓ８）。その後、第１表示制御装置４ｂは、処理を工程Ｓ１へ移行させる。
【００５３】
例えば、前記その他の操作が、複数の表示項目ｇ２のいずれかに対応するチェックボックスアイコンにタッチする操作である場合、第１表示制御装置４ｂは、工程Ｓ８において、前記その他の操作に対応する前記チェックボックスアイコンにチェックマークの表示を付加する処理を実行する。
【００５４】
以上に示されるように、第１表示制御装置４ｂおよび第２表示制御装置４ｃは、リスト画像ｇ０の一部を表示パネル１に表示させるとともに、操作検出装置２によって検出される操作に応じて、表示パネル１における画面の表示態様を変更する。
【００５５】
ところで、表示パネル１に表示される画面が静止画面ｇ１からスクロール画面ｇ１０へ切り替わる際に、表示項目ｇ２の数が変化すると、表示画面の不連続な切り替わりが、ユーザーに違和感を生じさせる。さらに、１画面当たりの表示項目ｇ２の数が少ない場合、前記ユーザーが、目的の項目を前記表示画面に表示させるために、より多くの前記スクロール操作を行わなければいけない事態も生じ得る。
【００５６】
一方、スクロール画面ｇ１０における表示項目ｇ２の視認性を高めることも求められている。スクロール画面ｇ１０における表示項目ｇ２を拡大することは、表示項目ｇ２の視認性を高めることに寄与する。
【００５７】
情報処理装置１０は、表示画面が静止画面ｇ１からスクロール画面ｇ１０へ切り替わる際の不連続な画面変化を回避しつつ、スクロール画面ｇ１０における表示項目ｇ２の視認性を高めることができる。
【００５８】
即ち、図６の工程Ｓ４において、第２表示制御装置４ｃは、例えば図３に示されるスクロール画面ｇ１０を表示パネル１に表示させる。
【００５９】
図３に示されるスクロール画面ｇ１０は、静止画面ｇ１と比較して同数の複数の表示項目ｇ２が、それらの一部が順次入れ替わりつつスクロール方向Ｄ０へ移動する画面である。これにより、画面が静止画面ｇ１からスクロール画面ｇ１０へ切り替わる際の不連続な画面変化は回避される。
【００６０】
さらに、図３に示されるスクロール画面ｇ１０は、複数の表示項目ｇ２のうち特定位置
Ｐ０に存在する特定項目ｇ２１が、静止画面ｇ１における特定項目ｇ２１よりも拡大されるスクロール画面ｇ１０である。これにより、スクロール画面ｇ１０における特定項目ｇ２１の視認性を高めることができる。なお、本実施形態における特定位置Ｐ０は、スクロール画面ｇ１０におけるスクロール方向Ｄ０の中央の位置である。
【００６１】
また、図３に示されるスクロール画面ｇ１０は、複数の表示項目ｇ２のうち特定項目ｇ２１以外の非特定項目ｇ２２が静止画面ｇ１の非特定項目ｇ２２と比較して縮小される画面である。
【００６２】
図３に示される例では、特定項目ｇ２１および非特定項目ｇ２２が、重ならずに表示パネル１に表示されている。これにより、特定項目ｇ２１が拡大されても、非特定項目ｇ２２を確認することができるため、複数の表示項目ｇ２の一覧性が確保される。
【００６３】
例えば、スクロール画面ｇ１０が、複数の表示項目ｇ２が前記スクロール操作に対応するスクロール速度でスクロール方向Ｄ０へ移動するとともに、前記スクロール速度に応じて特定項目ｇ２１の大きさが変化する画面であることが考えられる。
【００６４】
上記の場合、前記スクロール速度が速いほど特定項目ｇ２１がより大きく拡大される。これにより、前記スクロール速度が速い場合でも、特定項目ｇ２１の視認性を高めることができる。
【００６５】
本実施形態において、特定項目ｇ２１は、文字列ｇ３１と文字列ｇ３１を囲む枠ｇ３２とを含む。図３に示される例において、特定項目ｇ２１の文字列ｇ３１および枠ｇ３２の両方が拡大される。
【００６６】
一方、図４に示されるスクロール画面ｇ１０において、特定項目ｇ２１の文字列ｇ３１は、静止画面ｇ１と比較して拡大されているが、特定項目ｇ２１の枠ｇ３２は、静止画面ｇ１と比較して同じ大きさである。
【００６７】
図６の工程Ｓ４において、第２表示制御装置４ｃが、図４に示されるスクロール画面ｇ１０を表示パネル１に表示させることも考えられる。
【００６８】
図４に示されるスクロール画面ｇ１０において、特定項目ｇ２１における拡大された文字列ｇ３１が、非特定項目ｇ２２のうち特定項目ｇ２１の隣に並ぶ項目の上に重畳して表示されている。これにより、静止画面ｇ１に含まれる複数の表示項目ｇ２と同じ数の表示項目ｇ２をスクロール画面ｇ１０に含めることができる。
【００６９】
また、図４に示されるように、第２表示制御装置４ｃが、スクロール画面ｇ１０の表示処理において、拡大した特定項目ｇ２１をその一部を省略して表示パネル１に表示させることも考えられる。
【００７０】
例えば、第２表示制御装置４ｃが、特定項目ｇ２１の拡大によって特定項目ｇ２１の一部が表示パネル１の表示エリアからはみ出る場合に、拡大される特定項目ｇ２１のうち定表示エリア内に収まる他の一部のみを表示パネル１に表示させることが考えられる。
【００７１】
図４に示される例では、前記スクロール速度に応じた拡大率で拡大された特定項目ｇ２１の文字列ｇ３１の副方向Ｄ２の長さが、表示パネル１の副方向Ｄ２の長さを超える。そのため、拡大された特定項目ｇ２１の文字列ｇ３１における表示パネル１の副方向Ｄ２の長さに収まる一部のみが、表示パネル１に表示されている。
【００７２】
図５に示されるスクロール画面ｇ１０においても、拡大された特定項目ｇ２１が、非特定項目ｇ２２のうち特定項目ｇ２１の隣に並ぶ項目の上に重畳して表示されている。但し、図５に示されるスクロール画面ｇ１０は、特定項目ｇ２１の文字列ｇ３１および枠ｇ３２の両方が拡大されている。
【００７３】
第２表示制御装置４ｃが、図５に示されるスクロール画面ｇ１０を表示パネル１に表示させることも考えられる。
【符号の説明】
【００７４】
１      ：表示パネル
２      ：操作検出装置
３      ：パネル駆動回路
４      ：制御装置
４ａ    ：操作判定装置
４ｂ    ：第１表示制御装置
４ｃ    ：第２表示制御装置
５      ：二次記憶装置
５ａ    ：操作判定プログラム
５ｂ    ：第１表示制御プログラム
５ｃ    ：第２表示制御プログラム
６      ：通信装置
１０    ：情報処理装置
４１    ：ＣＰＵ
４２    ：主記憶装置
１００  ：タッチパネル装置
Ｄ０    ：スクロール方向
Ｄ１    ：主方向
Ｄ２    ：副方向
Ｆ０    ：指
ｇ０    ：リスト画像
ｇ１    ：静止画面
ｇ１０  ：スクロール画面
ｇ２    ：表示項目
ｇ２１  ：特定項目
ｇ２２  ：非特定項目
ｇ３１  ：文字列
ｇ３２  ：枠
【図１】
2019053196.tif 000003
【図２】
2019053196.tif 000004
【図３】
2019053196.tif 000005
【図４】
2019053196.tif 000006
【図５】
2019053196.tif 000007
【図６】
2019053196.tif 000008